【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
所定の抽選に当選したことを契機に遊技者に特典が付与される遊技機において、
遊技が行われているかを判定する第１判定手段と、
特定の電波、磁気、及び振動の少なくとも何れかを検知する特定検知手段と、
前記特定検知手段の検知結果に基づいて特定の電波、磁気、及び振動の少なくとも何れかが検知されたか否かを判定する第２判定手段と、
前記第１判定手段の判定結果が肯定であることを条件として、所定の報知を行う報知手段に対して前記第１判定手段の判定結果に関する第１報知を行わせる制御を行い、前記第１判定手段の判定結果が肯定であり、かつ、前記第２判定手段の判定結果が肯定であることを条件として、前記報知手段に対して前記第２判定手段の判定結果に関する第２報知を行わせる制御を行う報知制御手段とを備えた遊技機。
【請求項２】
遊技球が転動可能な遊技領域を有する遊技盤と、前記遊技盤の前記遊技領域において遊技球の入球又は通過を可能とする入球装置とを備えた遊技機において、
前記入球装置に遊技球が入球又は通過したことを検知する入球検知手段と、
前記入球装置へ入球又は通過した遊技球が残存しているか否かを判定する第１判定手段と、
特定の電波、磁気、及び振動の少なくとも何れかを検知する特定検知手段と、
前記特定検知手段の検知結果に基づいて特定の電波、磁気、及び振動の少なくとも何れかが検知されたか否かを判定する第２判定手段と、
前記第１判定手段の判定結果が肯定であることを条件として、所定の報知を行う報知手段に対して前記第１判定手段の判定結果に関する第１報知を行わせる制御を行い、前記第１判定手段の判定結果が肯定であり、かつ、前記第２判定手段の判定結果が肯定であることを条件として、前記報知手段に対して前記第２判定手段の判定結果に関する第２報知を行わせる制御を行う報知制御手段と、
前記第１判定手段の判定結果が肯定となったとき、または前記第２判定手段の判定結果が肯定となったときには、肯定となった判定回数を計数する判定回数計数手段と、
前記判定回数計数手段によって計数された判定回数を記憶する判定回数記憶手段と、
前記判定回数記憶手段に判定回数が記憶されているか否かを所定期間毎に判定する判定回数判定手段と、
前記判定回数判定手段によって前記判定回数記憶手段に判定回数が記憶されていると判定された場合に、前記第１判定手段の判定結果と前記第２判定手段の判定結果との少なくとも何れかに関する出力情報を、前記報知手段に対して出力する出力手段と、
前記判定回数記憶手段に記憶されている判定回数を、前記出力手段による出力情報の出力回数分だけ減算する判定回数更新手段と、を備えた遊技機。
【請求項３】
予め定められた規定周期で基本パルスを生成する基本パルス生成手段を備え、
前記判定回数判定手段は、前記基本パルス生成手段によって前記基本パルスが生成されたことを契機として、前記判定回数記憶手段に判定回数が記憶されているか否かを判定する請求項２に記載の遊技機。
【請求項４】
前記判定回数計数手段は、前記第１判定手段の判定結果が肯定となったとき、前記第２判定手段の判定結果が肯定となったときには、それぞれで共通して判定回数を１回として計数し、
前記出力情報は、前記第１判定手段の判定結果が肯定となったこと、又は前記第２判定手段の判定結果が肯定となったことを示す情報である請求項２又は請求項３に記載の遊技機。
【請求項５】
前記報知制御手段は、前記報知手段に対して、前記第１報知を行わせた場合において、前記第２判定手段の判定結果が否定であるときには、前記第１判定手段の判定結果が否定となるまで前記第１報知を行わせる制御を行う一方で、前記第１判定手段の判定結果が否定となる前に前記第２判定手段の判定結果が肯定となったときには、前記第２報知を行わせる制御を行う請求項１〜請求項４のうち何れか一項に記載の遊技機。
【請求項６】
前記報知制御手段は、前記報知手段に対して、前記第２報知を行わせた場合には、前記第１判定手段の判定結果に拘わらず、予め定められた時間が経過するまで前記第２報知の実行を継続させる制御を行う請求項１〜請求項５のうち何れか一項に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、所定の抽選に当選したことを契機に遊技者に特典が付与される遊技機において、遊技が行われているかを判定する第１判定手段と、特定の電波、磁気、及び振動の少なくとも何れかを検知する特定検知手段と、前記特定検知手段の検知結果に基づいて特定の電波、磁気、及び振動の少なくとも何れかが検知されたか否かを判定する第２判定手段と、前記第１判定手段の判定結果が肯定であることを条件として、所定の報知を行う報知手段に対して前記第１判定手段の判定結果に関する第１報知を行わせる制御を行い、前記第１判定手段の判定結果が肯定であり、かつ、前記第２判定手段の判定結果が肯定であることを条件として、前記報知手段に対して前記第２判定手段の判定結果に関する第２報知を行わせる制御を行う報知制御手段とを備えたことを要旨とする。
【手続補正３】
【補正対象書類名】明細書
【補正対象項目名】０００８
【補正方法】変更
【補正の内容】
【０００８】
請求項２に記載の発明は、遊技球が転動可能な遊技領域を有する遊技盤と、前記遊技盤の前記遊技領域において遊技球の入球又は通過を可能とする入球装置とを備えた遊技機において、前記入球装置に遊技球が入球又は通過したことを検知する入球検知手段と、前記入球装置へ入球又は通過した遊技球が残存しているか否かを判定する第１判定手段と、特定の電波、磁気、及び振動の少なくとも何れかを検知する特定検知手段と、前記特定検知手段の検知結果に基づいて特定の電波、磁気、及び振動の少なくとも何れかが検知されたか否かを判定する第２判定手段と、前記第１判定手段の判定結果が肯定であることを条件として、所定の報知を行う報知手段に対して前記第１判定手段の判定結果に関する第１報知を行わせる制御を行い、前記第１判定手段の判定結果が肯定であり、かつ、前記第２判定手段の判定結果が肯定であることを条件として、前記報知手段に対して前記第２判定手段の判定結果に関する第２報知を行わせる制御を行う報知制御手段と、前記第１判定手段の判定結果が肯定となったとき、または前記第２判定手段の判定結果が肯定となったときには、肯定となった判定回数を計数する判定回数計数手段と、前記判定回数計数手段によって計数された判定回数を記憶する判定回数記憶手段と、前記判定回数記憶手段に判定回数が記憶されているか否かを所定期間毎に判定する判定回数判定手段と、前記判定回数判定手段によって前記判定回数記憶手段に判定回数が記憶されていると判定された場合に、前記第１判定手段の判定結果と前記第２判定手段の判定結果との少なくとも何れかに関する出力情報を、前記報知手段に対して出力する出力手段と、前記判定回数記憶手段に記憶されている判定回数を、前記出力手段による出力情報の出力回数分だけ減算する判定回数更新手段と、を備えたことを要旨とする。
【手続補正４】
【補正対象書類名】明細書
【補正対象項目名】０００９
【補正方法】変更
【補正の内容】
【０００９】
請求項３に記載の発明は、請求項２に記載の遊技機において、予め定められた規定周期で基本パルスを生成する基本パルス生成手段を備え、前記判定回数判定手段は、前記基本パルス生成手段によって前記基本パルスが生成されたことを契機として、前記判定回数記憶手段に判定回数が記憶されているか否かを判定することを要旨とする。
【手続補正５】
【補正対象書類名】明細書
【補正対象項目名】００１０
【補正方法】変更
【補正の内容】
【００１０】
請求項４に記載の発明は、請求項２又は請求項３に記載の遊技機において、前記判定回数計数手段は、前記第１判定手段の判定結果が肯定となったとき、前記第２判定手段の判定結果が肯定となったときには、それぞれで共通して判定回数を１回として計数し、前記出力情報は、前記第１判定手段の判定結果が肯定となったこと、又は前記第２判定手段の判定結果が肯定となったことを示す情報であることを要旨とする。
【手続補正６】
【補正対象書類名】明細書
【補正対象項目名】００１１
【補正方法】変更
【補正の内容】
【００１１】
請求項５に記載の発明は、請求項１〜請求項４のうち何れか一項に記載の遊技機において、前記報知制御手段は、前記報知手段に対して、前記第１報知を行わせた場合において、前記第２判定手段の判定結果が否定であるときには、前記第１判定手段の判定結果が否定となるまで前記第１報知を行わせる制御を行う一方で、前記第１判定手段の判定結果が否定となる前に前記第２判定手段の判定結果が肯定となったときには、前記第２報知を行わせる制御を行うことを要旨とする。
【手続補正７】
【補正対象書類名】明細書
【補正対象項目名】００１２
【補正方法】変更
【補正の内容】
【００１２】
請求項６に記載の発明は、請求項１〜請求項５のうち何れか一項に記載の遊技機において、前記報知制御手段は、前記報知手段に対して、前記第２報知を行わせた場合には、前記第１判定手段の判定結果に拘わらず、予め定められた時間が経過するまで前記第２報知の実行を継続させる制御を行うことを要旨とする。
【手続補正８】
【補正対象書類名】明細書
【補正対象項目名】０１９２
【補正方法】変更
【補正の内容】
【０１９２】
次に、上記実施形態及び別例から把握できる技術的思想を以下に追記する。
（イ）前記報知制御手段は、前記報知手段に対して前記第２報知を行わせた場合には、前記第２判定手段の判定結果に拘わらず、予め定められた時間が経過するまで前記第２報知の実行を継続させる制御を行う。
【手続補正９】
【補正対象書類名】明細書
【補正対象項目名】０１９３
【補正方法】変更
【補正の内容】
【０１９３】
（ロ）前記第１報知と前記第２報知とは、異なる報知内容であり、前記報知制御手段は、前記報知手段に対して前記第１報知と前記第２報知とを重複させずに何れか一方を行わせる制御を行う。
【手続補正１０】
【補正対象書類名】明細書
【補正対象項目名】０１９４
【補正方法】変更
【補正の内容】
【０１９４】
（ハ）前記第２判定手段の判定結果のほうが前記第１判定手段の判定結果より優先順位が高くなるように前記第１判定手段の判定結果と前記第２判定手段の判定結果とに対して優先順位が記憶された優先順位記憶手段と、前記第１判定手段の判定結果と前記第２判定手段の判定結果との両方が肯定であるときには、判定結果の優先順位を判定する優先順位判定手段と、を備えた。
【手続補正１１】
【補正対象書類名】明細書
【補正対象項目名】０１９５
【補正方法】変更
【補正の内容】
【０１９５】
（ニ）前記入球装置は、遊技球が入球した場合に遊技者に有利な大当り遊技が付与される装置である請求項１〜請求項６、（イ）〜（ハ）のうち何れか一項に記載の遊技機。
（ホ）前記報知制御手段は、前記入球検知手段の検知結果に基づいて前記入球装置に遊技球が入球又は通過したことと、前記第２判定手段の判定結果が肯定であることとを条件として、前記報知手段に対して前記第２判定手段の判定結果に関する第２報知を行わせる制御を行う。